(57)【特許請求の範囲】
【請求項１】
内部に制御回路が収容されたケーシングと、前記制御回路に接続され前記ケーシングの一面に配置されて前記ケーシングの外部から相手コネクタが嵌合可能なコネクタと、前記制御回路に接続され前記制御回路に流れる電流を断続するスイッチ部とを備えた電気接続箱であって、
前記スイッチ部は、前記ケーシングの一面に配置され、前記制御回路に流れる電流を遮断する遮断位置と、前記制御回路に電流を流す接続位置とを有し、
前記ケーシングの一面には、前記ケーシングの一面に沿って移動可能に配置され、前記コネクタが前記相手コネクタと嵌合する前の状態で前記コネクタを閉塞するカバーが設けられ、
前記カバーには、前記コネクタが前記相手コネクタと嵌合するときに前記カバーの前記ケーシングの一面に沿った移動により前記コネクタの嵌合面を開放させるコネクタ開放部と、前記コネクタが前記相手コネクタと嵌合するまで前記スイッチ部を遮断位置に保持し前記コネクタと前記相手コネクタとが嵌合した後に前記コネクタ開放部が前記コネクタの嵌合面を開放させたときの同一方向への前記カバーの前記ケーシングの一面に沿った移動により前記スイッチ部を接続位置と遮断位置とに操作可能とするスイッチ制御部とが設けられていることを特徴とする電気接続箱。
【請求項２】
請求項１記載の電気接続箱であって、
前記相手コネクタと前記カバーとの間には、前記コネクタと前記相手コネクタとが嵌合した状態で、前記カバーの前記ケーシングの一面に沿った移動により互いに係合して前記相手コネクタが前記コネクタから離脱することを防止する離脱防止部が設けられていることを特徴とする電気接続箱。
【請求項３】
請求項１又は２記載の電気接続箱であって、
前記スイッチ部は、遮断位置と接続位置との間を移動可能なシーソー式スイッチであり、
前記スイッチ制御部は、前記カバーの前記ケーシングの一面に沿った移動方向に延設され、前記スイッチ部の遮断位置及び接続位置への過度な移動を規制する溝部であることを特徴とする電気接続箱。
【発明の詳細な説明】
【技術分野】
【０００１】
本発明は、電気接続箱に関する。
【背景技術】
【０００２】
従来、電気接続箱としては、内部に制御回路としてのジャンクションボックスが収容されたケーシングと、ジャンクションボックスに接続されケーシングの一面に配置されてケーシングの外部から相手コネクタが嵌合可能なコネクタと、ジャンクションボックスに接続されジャンクションボックスに流れる電流を断続するスイッチ部としてのインターロックコネクタとを備えたものが知られている（例えば、特許文献１参照）。
【０００３】
この電気接続箱では、ケーシングが、シールドケースとケースカバーとからなり、インターロックコネクタが、シールドケースとケースカバーとにそれぞれ設けられ、シールドケースにケースカバーを組付けることにより、それぞれのインターロックコネクタが嵌合され、ジャンクションボックスに電流が流れるようになる。
【０００４】
このような電気接続箱では、ケースカバーに、相手コネクタのロック部へのアクセスを邪魔する邪魔板が設けられ、相手コネクタとコネクタとが嵌合した状態で、ロック部が解除されることを防止し、相手コネクタとコネクタとの嵌合を離脱できないようにしている。
【先行技術文献】
【特許文献】
【０００５】
【特許文献１】特開２０１３−２２６０１９号公報
【発明の概要】
【発明が解決しようとする課題】
【０００６】
ところで、上記特許文献１のような電気接続箱では、シールドケースにケースカバーが組付けられていない場合、すなわちスイッチ部が制御回路に流れる電流を遮断する遮断位置である場合、ケーシング内部に収容された制御回路に電流が流れないので、相手コネクタとコネクタとが嵌合していない状態で、作業者がコネクタに触れたとしても感電する恐れがない。
【０００７】
しかしながら、上記特許文献１のような電気接続箱では、シールドケースにケースカバーが組付けられている場合、すなわちスイッチ部が制御回路に電流を流す接続位置である場合、制御回路に電流が流れているので、相手コネクタとコネクタとが嵌合していない状態で、作業者がコネクタに触れると感電する恐れがあった。
【０００８】
そこで、この発明は、コネクタとの接触による感電を確実に防止することができる電気接続箱の提供を目的としている。
【課題を解決するための手段】
【０００９】
請求項１記載の発明は、内部に制御回路が収容されたケーシングと、前記制御回路に接続され前記ケーシングの一面に配置されて前記ケーシングの外部から相手コネクタが嵌合可能なコネクタと、前記制御回路に接続され前記制御回路に流れる電流を断続するスイッチ部とを備えた電気接続箱であって、前記スイッチ部は、前記ケーシングの一面に配置され、前記制御回路に流れる電流を遮断する遮断位置と、前記制御回路に電流を流す接続位置とを有し、前記ケーシングの一面には、前記ケーシングの一面に沿って移動可能に配置され、前記コネクタが前記相手コネクタと嵌合する前の状態で前記コネクタを閉塞するカバーが設けられ、前記カバーには、前記コネクタが前記相手コネクタと嵌合するときに前記カバーの前記ケーシングの一面に沿った移動により前記コネクタの嵌合面を開放させるコネクタ開放部と、前記コネクタが前記相手コネクタと嵌合するまで前記スイッチ部を遮断位置に保持し前記コネクタと前記相手コネクタとが嵌合した後に前記コネクタ開放部が前記コネクタの嵌合面を開放させたときの同一方向への前記カバーの前記ケーシングの一面に沿った移動により前記スイッチ部を接続位置と遮断位置とに操作可能とするスイッチ制御部とが設けられていることを特徴とする。
【００１０】
この電気接続箱では、ケーシングの一面に、ケーシングの一面に沿って移動可能に配置され、コネクタが相手コネクタと嵌合する前の状態でコネクタを閉塞するカバーが設けられているので、コネクタが相手コネクタと嵌合していない状態で、コネクタが露出することがなく、作業者がコネクタに触れることがない。
【００１１】
また、カバーには、コネクタが相手コネクタと嵌合するときにカバーのケーシングの一面に沿った移動によりコネクタの嵌合面を開放させるコネクタ開放部が設けられているので、カバーを移動させることによってコネクタと相手コネクタとの嵌合を容易に行うことができる。
【００１２】
さらに、カバーには、コネクタが相手コネクタと嵌合するまでスイッチ部を遮断位置に保持しコネクタと相手コネクタとが嵌合した後にカバーのケーシングの一面に沿った移動によりスイッチ部を接続位置と遮断位置とに操作可能とするスイッチ制御部が設けられている。
【００１３】
このため、コネクタと相手コネクタとが嵌合するまでは、スイッチ部が遮断位置に保持されているので、制御回路に電流が流れることがなく、コネクタと相手コネクタとの嵌合作業中に作業者が感電することがない。
【００１４】
一方、コネクタと相手コネクタとが嵌合した後には、スイッチ部が接続位置と遮断位置とに操作可能となるので、容易に制御回路に電流を流すことができる。
【００１５】
従って、このような電気接続箱では、コネクタが相手コネクタと嵌合していな状態で作業者がコネクタに触れることができず、コネクタの嵌合が完了するまで制御回路に電流が流れることがないので、コネクタとの接触による感電を確実に防止することができる。
【００１６】
請求項２記載の発明は、請求項１記載の電気接続箱であって、前記相手コネクタと前記カバーとの間には、前記コネクタと前記相手コネクタとが嵌合した状態で、前記カバーの前記ケーシングの一面に沿った移動により互いに係合して前記相手コネクタが前記コネクタから離脱することを防止する離脱防止部が設けられていることを特徴とする。
【００１７】
この電気接続箱では、相手コネクタとカバーとの間に、コネクタと相手コネクタとが嵌合した状態で、カバーのケーシングの一面に沿った移動により互いに係合して相手コネクタがコネクタから離脱することを防止する離脱防止部が設けられているので、コネクタと相手コネクタとの嵌合状態を安定して保持することができる。
【００１８】
請求項３記載の発明は、請求項１又は２記載の電気接続箱であって、前記スイッチ部は、遮断位置と接続位置との間を移動可能なシーソー式スイッチであり、前記スイッチ制御部は、前記カバーの前記ケーシングの一面に沿った移動方向に延設され、前記スイッチ部の遮断位置及び接続位置への過度な移動を規制する溝部であることを特徴とする。
【００１９】
この電気接続箱では、スイッチ制御部が、カバーのケーシングの一面に沿った移動方向に延設され、スイッチ部の遮断位置及び接続位置への過度な移動を規制する溝部であるので、カバーの移動を阻害することなく、スイッチ制御部によってスイッチ部を保護することができる。
【発明の効果】
【００２０】
本発明によれば、コネクタとの接触による感電を確実に防止することができる電気接続箱を提供することができるという効果を奏する。
【図面の簡単な説明】
【００２１】
【図１】本発明の実施の形態に係る電気接続箱の分解斜視図である。
【図２】本発明の実施の形態に係る電気接続箱のコネクタに相手コネクタを嵌合する前の側面図である。
【図３】（ａ）は本発明の実施の形態に係る電気接続箱のコネクタに相手コネクタを嵌合したときの側面図である。（ｂ）は図３（ａ）の要部拡大図である。
【図４】（ａ）は本発明の実施の形態に係る電気接続箱のコネクタに相手コネクタを嵌合させた後の側面図である。（ｂ）は図４（ａ）の要部拡大図である。
【発明を実施するための形態】
【００２２】
図１〜図４を用いて本発明の実施の形態に係る電気接続箱について説明する。
【００２３】
本実施の形態に係る電気接続箱１は、内部に制御回路が収容されたケーシング３と、制御回路に接続されケーシング３の一面５に配置されてケーシング３の外部から相手コネクタ７が嵌合可能なコネクタ９と、制御回路に接続され制御回路に流れる電流を断続するスイッチ部１１とを備えている。
【００２４】
また、スイッチ部１１は、ケーシング３の一面５に配置され、制御回路に流れる電流を遮断する遮断位置と、制御回路に電流を流す接続位置とを有し、ケーシング３の一面５には、ケーシング３の一面５に沿って移動可能に配置され、コネクタ９が相手コネクタ７と嵌合する前の状態でコネクタ９を閉塞するカバー１３が設けられている。
【００２５】
そして、カバー１３には、コネクタ９が相手コネクタ７と嵌合するときにカバー１３のケーシング３の一面５に沿った移動によりコネクタ９の嵌合面を開放させるコネクタ開放部１５と、コネクタ９が相手コネクタ７と嵌合するまでスイッチ部１１を遮断位置に保持しコネクタ９と相手コネクタ７とが嵌合した後にカバー１３のケーシング３の一面５に沿った移動によりスイッチ部１１を接続位置と遮断位置とに操作可能とするスイッチ制御部１７とが設けられている。
【００２６】
また、相手コネクタ７とカバー１３との間には、コネクタ９と相手コネクタ７とが嵌合した状態で、カバー１３のケーシング３の一面５に沿った移動により互いに係合して相手コネクタ７がコネクタ９から離脱することを防止する離脱防止部１９が設けられている。
【００２７】
さらに、スイッチ部１１は、遮断位置と接続位置との間を移動可能なシーソー式スイッチであり、スイッチ制御部１７は、カバー１３のケーシング３の一面５に沿った移動方向に延設され、スイッチ部１１の遮断位置及び接続位置への過度な移動を規制する溝部２１である。
【００２８】
図１〜図４に示すように、ケーシング３は、内部に、例えば、バッテリなどの機器を制御するジャンクションボックスなどの制御回路（不図示）が収容されている。この制御回路には、コネクタ９が電気的に接続されている。
【００２９】
コネクタ９は、内部に端子（不図示）が収容され、相手コネクタ７との嵌合面側が開口されている。
【００３０】
このコネクタ９の開口された嵌合面は、ケーシング３の一面５に配置され、ケーシング３の外部から相手コネクタ７がコネクタ９に嵌合可能となっている。
【００３１】
相手コネクタ７は、バッテリなどの機器に電気的に接続され、内部にコネクタ９の端子と接続される相手端子（不図示）が収容されている。
【００３２】
この相手コネクタ７は、コネクタ９と嵌合することにより、相手端子と端子とが接続され、機器と制御回路とが電気的に接続される。この制御回路を流れる電流は、スイッチ部１１によって断続される。
【００３３】
スイッチ部１１は、ケーシング３の一面５に配置され、制御回路に流れる電流を遮断する遮断位置と、制御回路に電流を流す接続位置とを有し、遮断位置と接続位置との間を移動可能なシーソー式スイッチとなっている。
【００３４】
なお、本実施の形態においては、スイッチ部１１は、下側に向けて操作されたときが遮断位置（ＯＦＦ位置）となっており、上側に向けて操作されたときが接続位置（ＯＮ位置）となっている。
【００３５】
このスイッチ部１１の位置を作業者が操作することにより、ケーシング３内に収容された制御回路を流れる電流を断続することができる。
【００３６】
このようなスイッチ部１１は、ケーシング３の一面５において、コネクタ９からケーシング３の長さ方向に離間して配置されており、ケーシング３の一面５には、スイッチ部１１とコネクタ９とに跨るようにカバー１３が設けられている。
【００３７】
カバー１３は、長方形の板状に形成され、カバー１３に設けられたスライド突起２３と、ケーシング３の一面５に設けられたスライド溝２５とを係合することにより、ケーシング３の一面５に沿って移動可能に配置されている。
【００３８】
このようにカバー１３をケーシング３の一面５に沿って移動させることにより、ケーシング３の周囲にカバー１３を回動させるようなスペースを確保する必要がなく、電気接続箱１の大型化を抑制することができる。
【００３９】
このカバー１３は、コネクタ９と相手コネクタ７とが嵌合する前の状態で、図２に示すように、コネクタ９の嵌合面を閉塞するように配置される。
【００４０】
このようにカバー１３でコネクタ９の嵌合面を閉塞することにより、コネクタ９の露出を防止でき、作業者がコネクタ９内の端子と接触することがない。加えて、コネクタ９内への異物などの侵入や端子の変形を防止することができる。
【００４１】
このようなカバー１３は、コネクタ９とスイッチ部１１とに跨り、コネクタ９とスイッチ部１１との間を移動可能に配置されており、コネクタ９とスイッチ部１１とが位置する部分にはそれぞれコネクタ開放部１５と、スイッチ制御部１７とが設けられている。
【００４２】
コネクタ開放部１５は、カバー１３のコネクタ９側に設けられ、コネクタ９の嵌合面をカバー１３から露出可能な大きさに形成されたカバー１３を貫通する開口部２７となっている。
【００４３】
このコネクタ開放部１５は、カバー１３のスイッチ部１１側への移動により、コネクタ９の嵌合面に位置したときに、図２に示すように、コネクタ９の嵌合面を露出させ、コネクタ９に相手コネクタ７を嵌合可能とする。
【００４４】
スイッチ制御部１７は、カバー１３を貫通し、カバー１３の移動方向に延設された溝部２１となっている。
【００４５】
この溝部２１は、図２，図３に示すように、カバー１３のスイッチ部１１側への移動によるコネクタ９の嵌合面が閉塞されている間からコネクタ９の嵌合面とコネクタ開放部１５とが一致するまでの区間が、スイッチ部１１の接続位置（ここでは上側）への移動を規制し、スイッチ部１１を強制的に遮断位置に保持する。
【００４６】
この溝部２１の区間では、スイッチ部１１の遮断位置からさらに下側に向けられた移動が溝部２１によって規制されており、スイッチ部１１が過度に遮断位置に移動することがない。
【００４７】
一方、溝部２１は、図４に示すように、カバー１３のスイッチ部１１側への移動によるコネクタ９の嵌合面とコネクタ開放部１５とが一致する部分からカバー１３の端部２９が相手コネクタ７の側面に位置するまでの区間が、スイッチ部１１の接続位置（ここでは上側）と遮断位置（ここでは下側）への移動を許容する。
【００４８】
この溝部２１の区間では、スイッチ部１１の接続位置からさらに上側に向けられた移動が溝部２１によって規制されると共に、スイッチ部１１の遮断位置からさらに下側に向けられた移動が溝部２１によって規制されており、スイッチ部１１が過度に接続位置、或いは遮断位置に移動することがない。
【００４９】
このような溝部２１で構成されたスイッチ制御部１７は、図２，図３に示すように、カバー１３がスイッチ部１１側へ移動し、コネクタ９が相手コネクタ７と嵌合するまでスイッチ部１１を遮断位置に保持する。
【００５０】
このため、作業者がコネクタ９の嵌合作業を行っている間は、制御回路に電流が流れることがなく、作業者がコネクタ９内の端子に触れたとしても、感電することがない。
【００５１】
一方、スイッチ制御部１７は、図４に示すように、コネクタ９と相手コネクタ７とが嵌合した後、カバー１３がさらにスイッチ部１１側へ移動することにより、スイッチ部１１の接続位置と遮断位置への移動を許容する。
【００５２】
このため、コネクタ９と相手コネクタ７とが嵌合している間は、作業者がスイッチ部１１を操作することができ、制御回路に流れる電流を断続することができる。
【００５３】
ここで、図４に示すように、相手コネクタ７とカバー１３との間には、コネクタ９と相手コネクタ７とが嵌合した状態で、相手コネクタ７がコネクタ９から離脱することを防止する離脱防止部１９が設けられている。
【００５４】
離脱防止部１９は、相手コネクタ７の側面から突設された係合突起３１と、コネクタ開放部１５を構成するカバー１３の端部２９とからなる。
【００５５】
この離脱防止部１９は、コネクタ９と相手コネクタ７とが嵌合した後、カバー１３がさらにスイッチ部１１側へ移動することにより、カバー１３の端部２９が相手コネクタ７の係合突起３１と重なるように位置され、互いに係合する。
【００５６】
このような離脱防止部１９により、コネクタ９と相手コネクタ７とが嵌合した状態で、相手コネクタ７がコネクタ９から離脱することを防止でき、スイッチ部１１が接続位置であったとしても、作業者が相手コネクタ７を取り外すことができず、感電することがない。
【００５７】
このような電気接続箱１では、ケーシング３の一面５に、ケーシング３の一面５に沿って移動可能に配置され、コネクタ９が相手コネクタ７と嵌合する前の状態でコネクタ９を閉塞するカバー１３が設けられているので、コネクタ９が相手コネクタ７と嵌合していない状態で、コネクタ９が露出することがなく、作業者がコネクタ９に触れることがない。
【００５８】
また、カバー１３には、コネクタ９が相手コネクタ７と嵌合するときにカバー１３のケーシング３の一面５に沿った移動によりコネクタ９の嵌合面を開放させるコネクタ開放部１５が設けられているので、カバー１３を移動させることによってコネクタ９と相手コネクタ７との嵌合を容易に行うことができる。
【００５９】
さらに、カバー１３には、コネクタ９が相手コネクタ７と嵌合するまでスイッチ部１１を遮断位置に保持しコネクタ９と相手コネクタ７とが嵌合した後にカバー１３のケーシング３の一面５に沿った移動によりスイッチ部１１を接続位置と遮断位置とに操作可能とするスイッチ制御部１７が設けられている。
【００６０】
このため、コネクタ９と相手コネクタ７とが嵌合するまでは、スイッチ部１１が遮断位置に保持されているので、制御回路に電流が流れることがなく、コネクタ９と相手コネクタ７との嵌合作業中に作業者が感電することがない。
【００６１】
一方、コネクタ９と相手コネクタ７とが嵌合した後には、スイッチ部１１が接続位置と遮断位置とに操作可能となるので、容易に制御回路に電流を流すことができる。
【００６２】
従って、このような電気接続箱１では、コネクタ９が相手コネクタ７と嵌合していな状態で作業者がコネクタ９に触れることができず、コネクタ９の嵌合が完了するまで制御回路に電流が流れることがないので、コネクタ９との接触による感電を確実に防止することができる。
【００６３】
また、相手コネクタ７とカバー１３との間には、コネクタ９と相手コネクタ７とが嵌合した状態で、カバー１３のケーシング３の一面５に沿った移動により互いに係合して相手コネクタ７がコネクタ９から離脱することを防止する離脱防止部１９が設けられているので、コネクタ９と相手コネクタ７との嵌合状態を安定して保持することができる。
【００６４】
さらに、スイッチ制御部１７は、カバー１３のケーシング３の一面５に沿った移動方向に延設され、スイッチ部１１の遮断位置及び接続位置への過度な移動を規制する溝部２１であるので、カバー１３の移動を阻害することなく、スイッチ制御部１７によってスイッチ部１１を保護することができる。
【００６５】
なお、本発明の実施の形態に係る電気接続箱では、スイッチ部がシーソー式スイッチとなっているが、これに限らず、スイッチ部をプッシュ式スイッチとしてもよく、スイッチ部の形態に合わせてカバーにスイッチ制御部を設ければよい。
【００６６】
また、コネクタ開放部は、カバーを貫通する開口部となっているが、これに限らず、例えば、開口部を設けた部分をカバーから削除し、カバーの長さを短くしてカバーの端部側をコネクタ開放部としてもよい。
【００６７】
さらに、スイッチ制御部は、スイッチ部の移動方向の両端側にそれぞれ壁部が位置する溝部となっているが、これに限らず、例えば、スイッチ部の移動方向の片側のみに壁部が位置するようにスイッチ制御部を設けてもよい。
【００６８】
すなわち、スイッチ制御部は、作業者がコネクタの端子に触れる可能性がある間に、スイッチ部を遮断位置に保持できるものであれば、どのようなものであってもよい。
【符号の説明】
【００６９】
１…電気接続箱
３…ケーシング
５…一面
７…相手コネクタ
９…コネクタ
１１…スイッチ部
１３…カバー
１５…コネクタ開放部
１７…スイッチ制御部
１９…離脱防止部
２１…溝部
【図１】
0006586316.tif 000002
【図２】
0006586316.tif 000003
【図３】
0006586316.tif 000004
【図４】
0006586316.tif 000005